(57)【要約】【課題】所定の被写体が動画映像に含まれている場合に動画映像を記憶するフォームチェック装置を提供する。【解決手段】被写体を撮影するカメラユニット４と、前記カメラユニットにおいて撮影された動画映像の所定の領域に所定の被写体が含まれているか否かを判定する被写体判定部１０と、前記被写体判定部において前記所定の被写体が含まれていると判定された後の前記動画映像を記憶する記憶部と、前記記憶部に記憶された前記動画映像を再生する再生ユニット６とを備える。【選択図】図１
2010252141.tif 000002
【特許請求の範囲】
【請求項１】
被写体を撮影するカメラユニットと、
前記カメラユニットにおいて撮影された動画映像の所定の領域に所定の被写体が含まれているか否かを判定する被写体判定部と、
前記被写体判定部において前記所定の被写体が含まれていると判定された後の前記動画映像を記憶する記憶部と、
前記記憶部に記憶された前記動画映像を再生する再生ユニットと
を備えることを特徴とするフォームチェック装置。
【請求項２】
前記カメラユニットは前記被写体判定部を備え、
前記被写体判定部により前記所定の被写体が含まれていると判定された後、前記再生ユニットに対して前記動画映像の送信を行い、
前記再生ユニットは前記記憶部を備え、前記記憶部に前記カメラユニットにより送信された前記動画映像を記憶することを特徴とする請求項１記載のフォームチェック装置。
【請求項３】
前記再生ユニットは前記被写体判定部と前記記憶部とを備え、
前記再生ユニットは、前記カメラユニットにおいて撮影された前記動画映像の受信を行い、前記被写体判定部により前記所定の被写体が含まれていると判定された後の前記動画映像を前記記憶部に記憶することを特徴とする請求項１記載のフォームチェック装置。
【請求項４】
前記カメラユニットは前記被写体判定部を備え、
前記被写体判定部により前記所定の被写体が含まれていると判定された後の前記動画映像を、装着された記憶媒体に記憶し、前記再生ユニットは、装着された前記記憶媒体に記憶された前記動画映像の再生を行うことを特徴とする請求項１記載のフォームチェック装置。
【請求項５】
前記被写体判定部は、前記動画映像の所定の領域に人の顔が含まれているか否かの判定を行うことを特徴とする請求項１〜４の何れか一項に記載のフォームチェック装置。
【請求項６】
前記被写体判定部は、前記動画映像の所定の領域に人の顔が所定の時間含まれているか否かの判定を行うことを特徴とする請求項１〜５の何れか一項に記載のフォームチェック装置。
【請求項７】
前記再生ユニットは、前記カメラユニットにおいて撮影された前記動画映像の所定の領域に所定の被写体が含まれているか否かの判定を開始するための指示部を備えることを特徴とする請求項１〜６の何れか一項に記載のフォームチェック装置。
【請求項８】
前記カメラユニットは、前記カメラユニットの移動を検知する検知部を備え、
前記検知部により前記カメラユニットが移動したことが検知された場合に、前記動画映像の前記再生ユニットに対する送信、前記記憶部または前記記憶媒体への記憶を停止することを特徴とする請求項１〜７の何れか一項に記載のフォームチェック装置。
【発明の詳細な説明】
【技術分野】
【０００１】
本発明は、フォームチェック装置に関するものである。
【背景技術】
【０００２】
インパクト時刻前後の所定の時間分のスイング動作の画像を記録する装置が存在する（例えば、特許文献１参照）。
【先行技術文献】
【特許文献】
【０００３】
【特許文献１】特開２００６−２６３１６９号公報
【発明の概要】
【発明が解決しようとする課題】
【０００４】
しかし、この装置においては、被写体の位置にかかわらず予め定められた撮影領域の画像を記録するため、記録された画像に所望の被写体が含まれていない場合があった。
【０００５】
本発明の目的は、所定の被写体が動画映像に含まれている場合に動画映像を記憶するフォームチェック装置を提供することである。
【課題を解決するための手段】
【０００６】
本発明のフォームチェック装置は、被写体を撮影するカメラユニットと、前記カメラユニットにおいて撮影された動画映像の所定の領域に所定の被写体が含まれているか否かを判定する被写体判定部と、前記被写体判定部において前記所定の被写体が含まれていると判定された後の前記動画映像を記憶する記憶部と、前記記憶部に記憶された前記動画映像を再生する再生ユニットとを備えることを特徴とする。
【発明の効果】
【０００７】
本発明のフォームチェック装置によれば、所定の被写体が動画映像に含まれている場合に動画映像を記憶することができる。
【図面の簡単な説明】
【０００８】
【図１】第１の実施の形態に係るフォームチェック装置の構成を示す図である。
【図２】第１の実施の形態に係るフォームチェック装置のシステム構成を示すブロック図である。
【図３】第２の実施の形態に係るフォームチェック装置の構成を示す図である。
【図４】第３の実施の形態に係るフォームチェック装置の構成を示す図である。
【発明を実施するための形態】
【０００９】
以下、図面を参照して本発明の第１の実施の形態に係るフォームチェック装置について説明する。図１は、第１の実施の形態に係るフォームチェック装置の構成を示す図である。フォームチェック装置２はカメラユニット４と再生ユニット６を備えている。ここでカメラユニット４には、撮影レンズ８及び撮影された動画映像の所定の領域に人の顔が含まれているか否かを判定する被写体検出部１０が設けられている。また、再生ユニット６には、動画映像を表示するＬＣＤ表示部１２、録画スイッチ１４及び再生スイッチ１６が設けられている。
【００１０】
図２は、第１の実施の形態に係るフォームチェック装置のシステム構成を示すブロック図である。カメラユニット４はＣＰＵ３０を備え、ＣＰＵ３０には、被写体を撮影するためのＣＣＤ等により構成される撮像素子を有する撮影部３２、撮影部３２から出力される撮像信号を処理し、被写体検出部１０として機能する映像信号処理部３４、再生ユニット６に対して映像信号を無線通信により送信する無線通信部３６が接続されている。
【００１１】
再生ユニット６はＣＰＵ５０を備え、ＣＰＵ５０には、記憶部５２、操作部５４、ＬＣＤ表示部１２の表示制御を行う表示制御部５８、カメラユニット４に対してカメラ制御信号を無線通信により送信する無線通信部５６が接続されている。ここで、操作部５４には、録画スイッチ１４、再生スイッチ１６等が含まれる。
【００１２】
次に、第１の実施の形態に係るフォームチェック装置の動作について説明する。操作者が録画スイッチ１４を押下すると、ＣＰＵ５０はカメラユニット４に対して無線通信部５６を介して撮影開始を指示する制御信号を送信する。カメラユニット４のＣＰＵ３０は、無線通信部３６を介して撮影開始を指示する制御信号を受信すると撮影部３２により被写体の撮影を開始する。被写体検出部１０は撮影部３２から出力される動画映像の予め設定されている所定の領域内に人の顔が含まれているか否かの判定を行う。ここで動画映像における人の顔認識は、動画映像において人物の顔や眼を認識する顔認識処理により行う。被写体検出部１０において人の顔が検出された場合には、ＣＰＵ３０は無線通信部３６を介して再生ユニット６に対して人の顔が検出された後の動画映像を送信する。再生ユニット６のＣＰＵ５０は無線通信部５６を介して動画映像を受信した場合には、受信した動画映像を記憶部５２に記憶する。記憶処理が終了した後、操作者が再生スイッチ１６を押下すると、ＣＰＵ５０は記憶部５２から記憶された動画映像を読み出し、表示制御部５８を介してＬＣＤ表示部１２に動画映像を表示する。
【００１３】
この第１の実施の形態に係るフォームチェック装置２によれば、人の顔が動画映像の所定の領域に含まれている場合に再生ユニットに動画映像を送信するため、記憶された動画映像には所望の被写体が含まれる。従って、再生ユニットにおいては、動画映像を再生することによりゴルフスイング等のフォームを確実にチェックすることができる。
【００１４】
次に、図面を参照して本発明の第２の実施の形態に係るフォームチェック装置について説明する。この第２の実施の形態に係るフォームチェック装置２００は、第１の実施の形態に係るフォームチェック装置２においてカメラユニット４に設けられていた被写体検出部１０を、図３に示すように再生ユニット６に設けたものである。従って、第１の実施の形態と同一の構成についての詳細な説明は省略し、異なる部分のみについて詳細に説明する。また、第１の実施の形態と同一の構成には同一の符号を付して説明する。
【００１５】
第２の実施の形態に係るフォームチェック装置２００においては、操作者が録画スイッチ１４を押下すると、ＣＰＵ５０はカメラユニット４に対して無線通信部５６を介して撮影開始を指示する制御信号を送信する。カメラユニット４のＣＰＵ３０は、無線通信部３６を介して撮影開始を指示する制御信号を受信すると撮影部３２により被写体の撮影を開始する。ＣＰＵ３０は撮影部３２から出力される動画映像を無線通信部３６を介して再生ユニット６に対して送信する。再生ユニット６のＣＰＵ５０は無線通信部５６を介して動画映像を受信した場合には、被写体検出部１０において受信した動画映像の予め設定されている所定の領域内に人の顔が含まれているか否かの判定を行う。被写体検出部１０において所定の領域内に人の顔が含まれていると判定された場合には、その後の動画映像を記憶部５２に記憶する。記憶処理が終了した後、操作者が再生スイッチ１６を押下すると、ＣＰＵ５０は記憶部５２から記憶された動画映像を読み出し、表示制御部５８を介してＬＣＤ表示部１２に動画映像を表示する。
【００１６】
この第２の実施の形態に係るフォームチェック装置によれば、再生ユニットにおいて、人の顔が所定の領域内に含まれていると判定された動画映像を記憶するため、記憶された動画映像には所望の被写体が含まれる。従って、記憶した動画映像を再生することにより、ゴルフスイング等のフォームチェックを確実に行うことができる。
【００１７】
次に、図面を参照して本発明の第３の実施の形態に係るフォームチェック装置について説明する。この第３の実施の形態に係るフォームチェック装置２０２は、第１の実施の形態に係るフォームチェック装置２のように動画映像の無線通信を行わず、図４に示すように、被写体検出部１０において動画映像の所定の領域に人の顔が含まれていると判定された後の動画映像をカメラユニット４に着脱可能なＳＤカード等の記憶媒体２０に記憶するものである。従って、第１の実施の形態と同一の構成についての詳細な説明は省略し、異なる部分のみについて詳細に説明する。また、第１の実施の形態と同一の構成には同一の符号を付して説明する。
【００１８】
第３の実施の形態に係るフォームチェック装置２０２においては、操作者が録画スイッチ１４を押下すると、ＣＰＵ５０はカメラユニット４に対して無線通信部５６を介して撮影開始を指示する制御信号を送信する。カメラユニット４のＣＰＵ３０は、無線通信部３６を介して撮影開始を指示する制御信号を受信すると撮影部３２により被写体の撮影を開始する。被写体検出部１０は撮影部３２から出力される動画映像の予め設定されている所定の領域内に人の顔が含まれているか否かの判定を行う。被写体検出部１０において所定の領域に人の顔が含まれていると判定された場合には、ＣＰＵ３０はその後の動画映像を記憶媒体２０に記憶する。記憶媒体２０への記憶処理が終了し、カメラユニット４から記憶媒体２０を取り外して再生ユニット６に装着した後、操作者が再生スイッチ１６を押下すると、ＣＰＵ５０は記憶媒体２０から記憶された動画映像を読み出し、表示制御部５８を介してＬＣＤ表示部１２に表示する。
【００１９】
この第３の実施の形態に係るフォームチェック装置によれば、動画映像をユニットから取り外しが可能な記憶媒体２０に記憶することにより、再生ユニットに記憶媒体２０を装着し、記憶媒体に記憶された動画映像を再生することにより、ゴルフスイング等のフォームチェックを行うことができる。
【００２０】
なお、上述の各実施の形態に係るフォームチェック装置においては、被写体検出部により、動画映像の所定の領域に人の顔が含まれているか否かの判定を行っているが、被写体検出部１０により、動画映像の予め設定されている所定の領域内に人の顔が所定の時間以上含まれているか否かの判定を行うようにしてもよい。これにより、より確実に撮影したい動画映像を再生ユニットに対して送信または再生ユニットにおいて記憶または記憶媒体に記憶することができる。
【００２１】
また、上述の各実施の形態に係るフォームチェック装置において、所定の被写体が動画映像の所定の領域に含まれているか否かの判定の開始を指示する被写体検出スイッチを設けてもよい。これにより、操作者は自己の判断で被写体の検出を開始することができる。この場合には、動画映像の所定の領域に所定の被写体が含まれていない場合には、被写体検出スイッチ操作が有効にならないようにすることが好ましい。なお、被写体検出スイッチは、カメラユニット４側に備えてもよく、再生ユニット６側に備えてもよい。
【００２２】
また、上述の各実施の形態に係るフォームチェック装置において、カメラユニット４に、カメラユニット４の移動を検出する移動検出センサを備えてもよい。これにより、移動検出センサによりカメラユニット４が移動したことが検出された場合には、カメラユニット４から再生ユニット６への動画映像の送信を停止し、または再生ユニット６において記憶部５２への動画映像の記憶を停止し、またはカメラユニット４において記憶媒体２０への動画映像の記憶を停止することができ、無駄な動画映像の記憶を防止することができる。ここで、移動検出センサには加速度センサを用いることができる。
【００２３】
また、上述の第１、第２の実施の形態に係るフォームチェック装置においては、カメラユニット４から再生ユニット６に対して無線通信により動画映像の送信を行っているが、有線ケーブルを介して動画映像の送信を行うようにしてもよい。
【００２４】
また、上述の実施の形態に係るフォームチェック装置において、被写体検出部１０は動画映像の予め設定されている所定の領域内に人の手や足など顔以外の部分が含まれているか否かの判定を行うようにしてもよい。
【００２５】
また、上述の各実施の形態に係るフォームチェック装置において、人の顔が含まれているか否かを判定する動画映像の所定の領域を、操作者が設定できるようにしてもよい。これにより、例えば大人や子供等、顔の位置が異なる被写体のフォームチェックを的確に行うことができる。
【００２６】
また、上述の各実施の形態に係るフォームチェック装置において、人の顔が含まれているか否かを判定する動画映像の所定の領域は、ゴルフや野球などの競技に合わせて予め設定してある複数の領域から選択するようにしてもよい。また、フォームチェックを行う向きによって人の顔が含まれる領域が異なることを考慮し、フォームチェックを行う向きに応じて予め設定してある複数の領域から選択するようにしてもよい。これにより、所定の領域を簡便かつ的確に設定することができる。
【産業上の利用可能性】
【００２７】
本発明は、ゴルフスイング等のフォームチェックに利用することができる。
【符号の説明】
【００２８】
２…フォームチェック装置、４…カメラユニット、６…再生ユニット、８…撮影レンズ、１０…被写体検出部、１２…ＬＣＤ表示部、１４…録画スイッチ、１６…再生スイッチ。
【図１】
2010252141.tif 000003
【図２】
2010252141.tif 000004
【図３】
2010252141.tif 000005
【図４】
2010252141.tif 000006